(57)【要約】【課題】盗難を監視する対象が携行品である場合に、確実に盗難を監視する。【解決手段】移動者４０の携行品８０が盗難されることを監視する盗難監視システム１００であって、携行品８０に取り付けられ、携行品８０を識別する識別信号を無線発信する無線タグ３０と、移動者８０が携帯する盗難監視装置１０とを備える。盗難監視装置１０は、携行品８０が盗難された場合に、移動者４０により操作される操作部１２と、無線タグ３０から受信する識別信号の強さが閾値以下となってからの時間を計測する時間計測部１４と、時間計測部１４により計測される所定時間内に操作部１２が操作された場合に、携行品が盗難されたことを示す盗難信号を識別信号に対応づけて出力する盗難信号出力部１６とを有する。【選択図】  図１
2004240857.tif 000002
【特許請求の範囲】
【請求項１】
移動者の携行品が盗難されることを監視する盗難監視システムであって、
前記携行品に取り付けられ、前記携行品を識別する識別信号を無線発信する無線タグと、
前記移動者が携帯する盗難監視装置とを備え、
前記盗難監視装置は、
前記携行品が盗難された場合に、前記移動者により操作される操作部と、
前記無線タグから受信する前記識別信号の強さが閾値以下となってからの時間を計測する時間計測部と、
前記時間計測部により計測される所定時間内に前記操作部が操作された場合に、前記携行品が盗難されたことを示す盗難信号を前記識別信号に対応づけて出力する盗難信号出力部とを有する
ことを特徴とする盗難監視システム。
【請求項２】
前記時間計測部は、前記識別信号の強さが前記閾値以下となった後に前記閾値以上となった場合に、前記時間計測部により計測された時間をリセットすることを特徴とする請求項１に記載の盗難監視システム。
【請求項３】
前記盗難監視装置は、前記盗難信号出力部から出力される前記盗難信号を前記識別信号に対応づけて記録する盗難信号記録部をさらに有することを特徴とする請求項１に記載の盗難監視システム。
【請求項４】
前記盗難信号出力部は、前記操作部が操作された時刻を前記盗難信号記録部に記録することを特徴とする請求項３に記載の盗難監視システム。
【請求項５】
前記盗難信号出力部は、前記所定時間内に前記操作部が操作されない場合に、前記盗難信号とは異なる非盗難信号を前記識別信号に対応づけて出力することを特徴とする請求項１に記載の盗難監視システム。
【請求項６】
前記盗難監視装置は、前記盗難信号出力部から出力される前記盗難信号および前記非盗難信号のいずれかを前記識別信号に対応づけて記録する盗難信号記録部をさらに有することを特徴とする請求項５に記載の盗難監視システム。
【請求項７】
前記盗難監視装置は、前記所定時間内において警告音を発する警告発生部をさらに有することを特徴とする請求項１に記載の盗難監視システム。
【請求項８】
前記無線タグは、前記所定時間内において警告音を発する警告発生部を有することを特徴とする請求項７に記載の盗難監視システム。
【請求項９】
前記盗難監視装置は、前記無線タグの前記警告発生部が発する警告音を停止する警告停止部をさらに有することを特徴とする請求項８に記載の盗難監視システム。
【請求項１０】
移動者の携行品が盗難されることを監視する盗難監視システムであって、
前記携行品に取り付けられ、前記携行品を識別する識別信号を無線発信する無線タグと、
前記移動者が携帯する盗難監視装置とを備え、
前記盗難監視装置は、
前記携行品が盗難された場合に、前記移動者により操作される操作部と、
前記無線タグから受信する前記識別信号の強さが所定の速さ以上で減衰してからの時間を計測する時間計測部と、
前記時間計測部により計測される所定時間内に前記操作部が操作された場合に、前記携行品が盗難されたことを示す盗難信号を前記識別信号に対応づけて出力する盗難信号出力部とを有する
ことを特徴とする盗難監視システム。
【請求項１１】
移動者の携行品が盗難されることを監視する盗難監視装置であって、
前記携行品が盗難された場合に、前記移動者により操作される操作部と、
前記携行品に取り付けられ、前記携行品を識別する識別信号を無線発信する無線タグから受信する前記識別信号の強さが閾値以下となってからの時間を計測する時間計測部と、
前記時間計測部により計測される所定時間内に前記操作部が操作された場合に、前記携行品が盗難されたことを示す盗難信号を前記識別信号に対応づけて出力する盗難信号出力部とを備え、
前記盗難監視装置は、前記携行品とは別個に前記移動者が携帯する
ことを特徴とする盗難監視装置。
【請求項１２】
移動者の携行品が盗難されることを監視する盗難監視装置であって、
前記携行品が盗難された場合に、前記移動者により操作される操作部と、
前記携行品に取り付けられ、前記携行品を識別する識別信号を無線発信する無線タグから受信する前記識別信号の強さが所定の速さ以上で減衰してからの時間を計測する時間計測部と、
前記時間計測部により計測される所定時間内に前記操作部が操作された場合に、前記携行品が盗難されたことを示す盗難信号を前記識別信号に対応づけて出力する盗難信号出力部とを備え、
前記盗難監視装置は、前記携行品とは別個に前記移動者が携帯する
ことを特徴とする盗難監視装置。
【発明の詳細な説明】
【０００１】
【発明の属する技術分野】
本発明は、盗難監視システムおよび盗難監視装置に関する。特に本発明は、移動者の携行品が盗難されることを監視する盗難監視システムに関する。
【０００２】
【従来の技術】
従来、盗難を監視する盗難監視装置は、監視する対象が配される閉じられた空間の出入口に設置されている。出入口に設置された盗難監視装置は、出入口からの出入りが許容されていないにも関わらず出入口に開閉があったと判断する場合に、盗難と見なして、盗難があったとの情報を出力する（例えば、特許文献１を参照）。例えば、盗難を監視する盗難監視装置は、住居の出入口である玄関に設置される。盗難監視装置は、居住人が玄関を開けていないにも関わらず玄関が開いた場合に盗難とみなして、盗難があったとの情報を警備会社へ通知する。
【０００３】
【特許文献１】
特開平４−２７６８９８号公報
【０００４】
【発明が解決しようとする課題】
ところが、盗難を監視する対象が携行品である場合、携行品は、閉じられた空間に設置されるものでないため、出入口に設置される従来の盗難監視装置は、携行品が盗難されることを監視することが困難であった。
【０００５】
そこで本発明は、上記の課題を解決することのできる盗難監視システムおよび盗難監視装置を提供することを目的とする。この目的は特許請求の範囲における独立項に記載の特徴の組み合わせにより達成される。また従属項は本発明の更なる有利な具体例を規定する。
【０００６】
【課題を解決するための手段】
即ち、本発明の第１の形態によると、移動者の携行品が盗難されることを監視する盗難監視システムにおいて、携行品に取り付けられ、携行品を識別する識別信号を無線発信する無線タグと、移動者が携帯する盗難監視装置とを備え、盗難監視装置は、携行品が盗難された場合に、移動者により操作される操作部と、無線タグから受信する識別信号の強さが閾値以下となってからの時間を計測する時間計測部と、時間計測部により計測される所定時間内に操作部が操作された場合に、携行品が盗難されたことを示す盗難信号を識別信号に対応づけて出力する盗難信号出力部とを有する。
【０００７】
時間計測部は、識別信号の強さが閾値以下となった後に閾値以上となった場合に、時間計測部により計測された時間をリセットしてもよい。
【０００８】
盗難監視装置は、盗難信号出力部から出力される盗難信号を識別信号に対応づけて記録する盗難信号記録部をさらに有してもよい。
【０００９】
盗難信号出力部は、操作部が操作された時刻を盗難信号記録部に記録する。
【００１０】
盗難信号出力部は、所定時間内に操作部が操作されない場合に、盗難信号とは異なる非盗難信号を識別信号に対応づけて出力してもよい。
【００１１】
盗難監視装置は、盗難信号出力部から出力される盗難信号および非盗難信号のいずれかを識別信号に対応づけて記録する盗難信号記録部をさらに有してもよい。
【００１２】
盗難監視装置は、所定時間内において警告音を発する警告発生部をさらに有してもよい。
【００１３】
無線タグは、所定時間内において警告音を発する警告発生部を有してもよい。
【００１４】
盗難監視装置は、無線タグの警告発生部が発する警告音を停止する警告停止部をさらに有してもよい。
【００１５】
本発明の第２の形態によると、移動者の携行品が盗難されることを監視する盗難監視システムにおいて、携行品に取り付けられ、携行品を識別する識別信号を無線発信する無線タグと、移動者が携帯する盗難監視装置とを備え、盗難監視装置は、携行品が盗難された場合に、移動者により操作される操作部と、無線タグから受信する識別信号の強さが所定の速さ以上で減衰してからの時間を計測する時間計測部と、時間計測部により計測される所定時間内に操作部が操作された場合に、携行品が盗難されたことを示す盗難信号を識別信号に対応づけて出力する盗難信号出力部とを有する。
【００１６】
本発明の第３の形態によると、移動者の携行品が盗難されることを監視する盗難監視装置は、携行品が盗難された場合に、移動者により操作される操作部と、携行品に取り付けられ、携行品を識別する識別信号を無線発信する無線タグから受信する識別信号の強さが閾値以下となってからの時間を計測する時間計測部と、時間計測部により計測される所定時間内に操作部が操作された場合に、携行品が盗難されたことを示す盗難信号を識別信号に対応づけて出力する盗難信号出力部とを備え、盗難監視装置は、携行品とは別個に移動者が携帯する。
【００１７】
本発明の第４の形態によると、移動者の携行品が盗難されることを監視する盗難監視装置は、携行品が盗難された場合に、移動者により操作される操作部と、携行品に取り付けられ、携行品を識別する識別信号を無線発信する無線タグから受信する識別信号の強さが所定の速さ以上で減衰してからの時間を計測する時間計測部と、時間計測部により計測される所定時間内に操作部が操作された場合に、携行品が盗難されたことを示す盗難信号を識別信号に対応づけて出力する盗難信号出力部とを備え、盗難監視装置は、携行品とは別個に移動者が携帯する。
【００１８】
なお上記の発明の概要は、本発明の必要な特徴の全てを列挙したものではなく、これらの特徴群のサブコンビネーションも又発明となりうる。
【００１９】
【発明の実施の形態】
以下、発明の実施の形態を通じて本発明を説明するが、以下の実施形態は特許請求の範囲にかかる発明を限定するものではなく、又実施形態の中で説明されている特徴の組み合わせの全てが発明の解決手段に必須であるとは限らない。
【００２０】
図１は、本実施の形態に係る盗難監視システム１００の構成を示す。移動者４０の携行品８０の盗難を監視する盗難監視システム１００は、携行品８０に取り付けられる無線タグ３０と、移動者４０が携帯する盗難監視装置１０と、盗難監視装置１０に接続するネットワーク５０と、ネットワーク５０に接続する保険会社サーバ６０と、ネットワーク５０に接続する警備会社サーバ７０とを備える。保険会社サーバ６０は、保険会社により管理および運用される。本実施形態において、移動者４０は、保険会社に対し携行品８０を担保する盗難保険に契約しているとする。盗難監視装置１０は、例えば携帯電話などの通信装置に組み込まれる。また、盗難監視装置１０は、身体または衣服に付けている例えばペンダントなどの装身具に組み込まれてもよい。
【００２１】
従来、盗難を監視する盗難監視装置は、監視する対象が配される閉じられた空間の出入口に設置されている。出入口に設置された盗難監視装置は、出入口からの出入りが許容されていないにも関わらず出入口に開閉があった場合に、盗難と見なして、盗難があったとの情報を出力する。ところが、盗難を監視する対象が携行品である場合、携行品は、閉じられた空間に設置されるものでないため、出入口に設置される従来の盗難監視装置は、携行品が盗難されることを監視することが困難であった。
【００２２】
そこで、本実施形態に係る盗難監視システム１００は、盗難を監視する対象が携行品である場合にも、確実に盗難を監視することを目的とする。
【００２３】
無線タグ３０は、移動者４０の携行品８０に取り付けられ、携行品８０を識別する識別信号を盗難監視装置１０へ無線発信する。無線タグ３０は、記憶部３２と発信部３４とを備える。記憶部３２は、例えば携行品８０を識別するＩＤコードなどの識別信号を格納している。発信部３４は、記憶部に格納されている識別信号を無線発信する。無線タグ３０は、例えば数ミリ角の大きさで、ハンドバッグなどの携行品８０に容易に貼り付けられる。盗難監視装置１０は、無線タグ３０が無線発信する識別信号を受信する。盗難監視装置１０は、携行品８０が盗難された場合に盗難があった旨の情報を、ネットワーク５０を介して保険会社サーバ６０へ送信する。盗難監視装置１０は、盗難があった旨の情報を、さらに警備会社サーバ７０へ送信してもよい。
【００２４】
保険会社サーバ６０は、盗難監視装置１０から送信された情報により、保険の対象が盗難にあったか否かを判断することができる。これにより、保険会社サーバ６０は、保険の対象に関し、盗難保険金を顧客へ支払うべきか否かを決定できる。また、警備会社サーバ７０は、盗難があった旨の情報を盗難監視装置１０から受信することにより、例えば警備員の派遣など盗難への適切な対処を指示することができる。
【００２５】
図２は、盗難監視装置１０の機能構成を示す。操作部１２と、時間計測部１４と、盗難信号出力部１６と、盗難信号記録部１８と、警告発生部２０とを有する。
【００２６】
操作部１２は、移動者４０の携行品８０が盗難された場合に、移動者４０により操作される。盗難監視装置１０が携帯電話に組み込まれている場合、操作部１２は、例えば携帯電話に配されたボタンの一つである。盗難監視装置１０が装身具に組み込まれている場合、操作部１２は、例えば装身具自体に取り付けられたスイッチである。移動者４０が操作部１２を操作すると、操作部１２は、操作部１２が操作された旨の情報を盗難信号出力部１６へ送信する。
【００２７】
時間計測部１４は、携行品８０を識別する識別信号を無線タグ３０から受信する。時間計測部１４が受信する識別信号の強さは、盗難監視装置１０が無線タグ３０から離れるほど小さくなる。盗難監視装置１０を携帯する移動者４０が無線タグ３０の取り付けられた携行品８０から例えば２ｍ程度離れる場合、携行品８０は、移動者４０の手元から離れたと考えてよい。したがって、時間計測部１４は、盗難監視装置１０が無線タグ３０から例えば２ｍ離れた状態で時間計測部１４が受信すべき識別信号の強さを予め閾値として保持する。時間計測部１４は、受信する識別信号の強さが閾値以上であるか、または以下であるかを判断する。時間計測部１４は、受信する識別信号の強さが閾値以下となってからの時間を計測する。すなわち、時間計測部１４は、盗難監視装置１０が無線タグ３０から２ｍ以上離れて、携行品８０が移動者４０の手元を離れているとみなされる時間を計測する。
【００２８】
また、時間計測部１４は、閾値以下の強さで受信した後、識別信号の強さが閾値以上へ戻る場合に、時間の計測を終了し、時間をリセットする。閾値以下の強さで受信した識別信号の強さが閾値以上に戻る場合の一例は、携行品８０が移動者４０の手元に返り、盗難監視装置１０が無線タグ３０に再び近づいた場合である。移動者４０は、携行品８０を盗難される、および置き忘れる場合以外にも、携行品８０を意識的に手元から離す場合もある。移動者４０が携行品８０を置き忘れる、または意識的に手元から離す場合であって、その後手元に戻す場合、時間計測部１４は、計測された時間をリセットして、受信する識別信号の強さが閾値以下となる前の状態に戻る。また、時間計測部１４が計測する時間をリセットするので、携行品８０が一旦移動者４０の手元に返った後で盗難された場合に、時間計測部１４は、盗難により携行品８０が移動者４０の手元を離れてからの時間を再び計測できる。
【００２９】
盗難信号出力部１６は、識別信号を時間計測部１４から読み出す。また、盗難信号出力部１６は、時間計測部１４が計測している時間を時間計測部１４から読み出す。盗難信号出力部１６は、所定時間内に操作部１２が操作された旨の情報を操作部１２から受信すると、移動者４０の携行品８０が盗難されたことを示す盗難信号を、時間計測部１４から読み出した識別信号に対応づけて出力する。盗難により携行品８０が移動者４０の手元を離れた場合、移動者４０は、携行品８０が手元を離れたことに即時に気づくことが多い。一方、例えば単に置き忘れにより携行品８０が移動者４０の手元を離れた場合、移動者４０は、携行品８０が手元を離れたことにしばらく時間をおいてから気づくことが多い。したがって、時間計測部１４により計測される時間が例えば１分以内で移動者４０が操作部１２を操作する場合、携行品８０は盗難されたと考えることができる。一方、時間計測部１４により計測される時間が１分を過ぎても、携行品８０が手元にないことに移動者４０が気づかずに、操作部１２を操作しない場合、携行品８０は盗難されたのではなく、例えば単に置き忘れられたと考えることができる。したがって、盗難信号出力部１６は、所定時間が例えば１分であるという旨を予め保持する。盗難信号出力部１６は、盗難監視装置１０が組み込まれる例えば携帯電話により、出力する盗難信号を、ネットワーク５０を介して保険会社サーバ６０および警備会社サーバ７０へ送信する。
【００３０】
また、盗難信号出力部１６は、所定時間内に操作部１２が操作されない場合に、盗難信号とは異なる非盗難信号を識別信号に対応づけて出力する。時間計測部１４が受信する識別信号の強さが閾値以下になってから所定時間が経過しても、携行品８０が手元を離れていることに移動者４０が気づかない場合に、携行品８０は、盗難されたのではなく、例えば単に置き忘れられたと考えることができる。この場合、盗難信号出力部１６は、携行品８０が移動者４０の手元を離れたが盗難されたのではない旨の情報である非盗難信号を出力する。続いて、盗難信号出力部１６は、盗難監視装置１０が組み込まれる例えば携帯電話により、出力する非盗難信号を、ネットワーク５０を介して保険会社サーバ６０へ送信する。盗難信号出力部１６が盗難ではない旨の非盗難信号を保険会社サーバ６０へ送信するので、保険会社サーバ６０は、盗難保険金を顧客へ支払うべきか否かをさらに適切に決定できる。
【００３１】
盗難信号記録部１８は、盗難信号出力部１６から出力される盗難信号および非盗難信号のいずれかを識別信号に対応づけて記録する。
【００３２】
警告発生部２０は、所定時間内において警告音を発する。移動者４０は、携行品８０を盗難された場合、盗難による心理的な影響によって操作部１２を操作し忘れる可能性がある。警告発生部２０は、時間計測部１４が受信する識別信号の強さが閾値以下になると警告音を発するので、移動者４０は、携行品８０を盗難された場合にも、その警告音を確認することにより、操作部１２を確実、かつ速やかに操作することができる。また、移動者４０は、携行品８０を盗難されたのではなく、例えば置き忘れた場合にも、その警告音を確認することにより、携行品８０を取りに戻ることができる。したがって、警告発生部２０は、移動者４０による携行品８０の紛失を未然に防ぐことができる。移動者４０は、警告発生部２０の発する警告音を、任意の時間に停止できる。
【００３３】
以上のように構成された盗難監視装置１０は、携行品８０が盗難にあった場合に、携行品８０が手元を離れたことに移動者４０が即時に気づいて操作部１２を操作する場合に盗難であると見なすので、携行品８０が盗難されたのか、または盗難されたのではなく、例えば単に置き忘れられたのかを確実に判断できる。
【００３４】
盗難監視装置１０は、ＩＣカードの読取部をさらに備えてもよい。この場合に、移動者４０は、契約する盗難保険の内容を登録したＩＣカードを保持する。移動者４０がＩＣカードの読取部にＩＣカードを差し込むことにより、盗難監視装置１０は、移動者４０が盗難保険に契約しているか否かを判断する。さらに、盗難監視装置１０は、差し込まれたＩＣカードから移動者４０が契約する盗難保険の内容を取得する。盗難監視装置１０は、取得した盗難保険の内容に応じて、盗難信号または非盗難信号を出力することができる。したがって、盗難監視装置１０は、移動者４０が盗難保険に契約する場合に、盗難信号または非盗難信号を確実に出力することができる。
【００３５】
図３は、盗難監視装置１０の動作の一例を示す。時間計測部１４は、移動者４０の携行品８０を識別する識別信号を、無線タグ３０から無線受信する（Ｓ１００）。時間計測部１４は、受信した識別信号の強さが、時間計測部１４の予め保持する閾値以下であるか否かを判断する（Ｓ１０２）。受信する識別信号の強さが閾値以下でない場合（Ｓ１０２：ＮＯ）、携行品８０は移動者４０の手元から離れていないとして、盗難監視装置１０の動作はステップ１０２に戻る。受信する識別信号の強さが閾値以下である場合（Ｓ１０２：ＹＥＳ）、携行品８０は移動者４０の手元から離れたとして、時間計測部１４は、受信する識別信号の強さが閾値以下となってからの時間の計測を開始する（Ｓ１０４）。時間計測部１４は、識別信号を盗難信号出力部１６へ出力する。また、時間計測部１４は、計測している時間を所定時間間隔、例えば１秒毎に盗難信号出力部１６へ出力する。時間計測部１４が受信する識別信号の強さが閾値以下になった場合、警告発生部２０は、警告音を発生する（Ｓ１０６）。
【００３６】
時間計測部１４は、閾値以下の強さで受信した後に識別信号の強さが閾値以上へ戻るか否かを判断する（Ｓ１０８）。識別信号の強さが閾値以上へ戻る場合（Ｓ１０８：ＹＥＳ）、携行品８０が移動者４０の手元に戻ったとして、時間計測部１４は、時間の計測を終了して、時間をリセットする（Ｓ１１０）。そして、盗難監視装置１０の動作はステップ１０２に戻る。識別信号の強さが閾値以上へ戻らない場合（Ｓ１０８：ＮＯ）、盗難信号出力部１６は、時間計測部１４から読み出した時間が盗難信号出力部１６の予め保持する所定時間を経過したか否かを判断する（Ｓ１１２）。読み出した時間が所定時間を経過していない場合であって（Ｓ１１２：ＮＯ）、操作部１２が移動者４０により操作されない場合（Ｓ１１４：ＮＯ）、盗難監視装置１０の動作は、ステップ１０８に戻る。読み出した時間が所定時間を経過していない場合であって、操作部１２が移動者４０により操作される場合（Ｓ１１４：ＹＥＳ）、操作部１２は、操作部１２が操作された旨の情報を盗難信号出力部１６へ出力する。続いて、盗難信号出力部１６は、携行品８０が盗難されたことを示す盗難信号を、識別信号に対応づけて出力する（Ｓ１１６）。さらに、盗難信号出力部１６は、盗難監視装置１０が組み込まれる例えば携帯電話により、出力する盗難信号を識別信号に対応づけて、ネットワーク５０を介して保険会社サーバ６０および警備会社サーバ７０へ送信する。盗難信号記録部１８は、出力される盗難信号を識別信号に対応づけて盗難信号出力部１６から読み出し、さらに記録する（Ｓ１１８）。
【００３７】
計測された時間が所定時間を経過した場合（Ｓ１１２：ＹＥＳ）、携行品８０は盗難されたのではなく、置き忘れられたとして、盗難信号出力部１６は、盗難信号とは異なる非盗難信号を、識別信号に対応づけて出力する（Ｓ１２０）。続いて、盗難信号出力部１６は、盗難監視装置１０が組み込まれる例えば携帯電話により、出力する非盗難信号を識別信号に対応づけて、ネットワーク５０を介して保険会社サーバ６０へ送信する。盗難信号記録部１８は、盗難信号出力部１６から出力される非盗難信号を識別信号に対応づけて記録する（Ｓ１２２）。
【００３８】
盗難監視装置１０から保険会社サーバ６０への送信の形態は、盗難信号出力部１６による送信に限られない。他の例として、保険会社サーバ６０への送信は、盗難信号記録部１８に記録された盗難信号または非盗難信号の確認が要求される場合に、その盗難信号または非盗難信号が盗難信号記録部１８から読み出される形態であってもよい。以上で本フローチャートは終了する。
【００３９】
以上の動作により、盗難監視装置１０は、携行品８０を盗難されることにより、携行品８０が手元を離れたことに移動者４０が即時に気づいて操作部１２を操作する場合に盗難であると判断する。よって、携行品８０が盗難されたのか、または盗難されたのではなく、例えば単に置き忘れられたのかを確実に判断できる。また、保険会社サーバ６０は、盗難信号記録部１８に記録された盗難信号または非盗難信号を確認することにより、保険会社サーバ６０が盗難信号出力部１６から盗難信号または非盗難信号を受信できない例えば海外における携行品８０の紛失も盗難によるものであるか、または盗難によるものではない、例えば単に置き忘れによるものであるかを確認できる。
【００４０】
時間計測部１４は、無線タグ３０から受信する識別信号の強さが閾値以下となってからの時間の代わりに、受信する識別信号の強さが所定の速さ以上で減衰してからの時間を計測してもよい。携行品８０が盗難された場合、携行品８０は急速に移動者４０の手元から遠ざかる。よって、この場合に、時間計測部１４が受信する識別信号の強さは、急激に減衰し、例えば３秒間程度で閾値からほぼゼロの大きさになる。一方、携行品８０が盗難されたのではなく、例えば単に置き忘れられた場合、携行品８０は徐々に移動者４０の手元から遠ざかる。よって、この場合に、時間計測部１４が受信する識別信号の強さは、盗難の場合より遅く減衰し、例えば３秒間程度で閾値からその閾値のほぼ半分の大きさにまでしか減衰しない。したがって、時間計測部１４は、受信する識別信号の強さが例えば３秒間程度で閾値からほぼゼロの大きさになる減衰の速さと、閾値のほぼ半分の大きさになる減衰の速さとの中間に、識別信号が減衰する所定の速度値を設定する。時間計測部１４は、受信する識別信号の強さが設定した速度値よりも速く減衰する場合に盗難と見なす。時間計測部１４が、受信する識別信号の減衰の速さが速度値よりも速いか否かを判断する場合、盗難監視装置１０は携行品８０が盗難されたことをより確実に判断できる。
【００４１】
時間計測部１４は、操作部１２が操作された時刻、または操作部１２が操作されずに所定時間が経過した時刻を計時する。盗難信号出力部１６は、計測された時間および識別信号に加えて、計時された時刻を時間計測部１４から読み出す。さらに、盗難信号出力部１６は、読み出した時刻を盗難信号記録部１８に記録する。移動者４０が記録された時刻の保険会社による確認を要求する場合、盗難信号記録部１８は、記録された時刻を、盗難監視装置１０が組み込まれる例えば携帯電話により、ネットワーク５０を介して保険会社サーバ６０へ送信する。
【００４２】
保険会社は、保険会社サーバ６０が盗難監視装置１０から盗難があった旨の情報を受信することに加えて、移動者４０に、警察に提出した盗難届の複写を要求してもよい。
【００４３】
移動者４０が盗難届の複写を保険会社に提示する場合、保険会社は、盗難信号出力部１６により送信された盗難信号および盗難届の複写に基づいて、より適切に盗難保険金を支払うべきか否かを決定できる。また、盗難信号出力部１６が盗難信号に加えて操作部１２が操作された時刻を保険会社サーバ６０へ送信する場合、保険会社は、保険会社サーバ６０が受信した操作部１２が操作された時刻と、移動者４０により提示された盗難届に記載される盗難の発生時刻とを比較することにより、さらに適切に盗難保険金を支払うべきか否かを決定できる。
【００４４】
以上の実施形態は、盗難監視装置１０が警告発生部２０を有する場合であるが、他の実施形態として、無線タグ３０も警告発生部を有してもよい。この場合、無線タグ３０は識別信号を送信し、かつ警告音を発するための電源を有する。無線タグ３０の警告発生部は、所定時間内において警告音を発する。本実施形態では、無線タグ３０の警告発生部および盗難監視装置１０の警告発生部２０はともに、時間計測部１４が無線タグ３０から受信する識別信号の強さが閾値以下になると警告音を発する。
【００４５】
携行品８０が盗難された場合に、無線タグ３０の警告発生部が盗難の犯人に対して警告音を発するので、盗難の犯人は、携行品８０を手放す可能性が高くなる。したがって、盗難監視装置１０は、携行品８０が盗難された場合にも、携行品８０を移動者４０の手元に戻すことができる。また、携行品８０が置き忘れられた場合に、無線タグ３０の警告発生部が警告音を発するので、置き忘れられた携行品８０の周囲の人は、注意を促される。したがって、盗難監視装置１０は、携行品８０の置き忘れを未然に防ぐことができる。
【００４６】
盗難監視装置１０は、無線タグ３０の警告発生部が発する警告音を停止する警告停止部をさらに有してもよい。警告停止部は、盗難監視装置１０の警告発生部２０が発する警告音を停止してもよい。移動者４０は、警告停止部を操作することにより、無線タグ３０の警告発生部が発する警告音を任意の時間に停止できる。一方、移動者４０以外の他の人は、無線タグ３０の警告発生部が発する警告音を停止できない。したがって、盗難監視装置１０は、さらに効果的に盗難を防止することができる。
【００４７】
以上の実施形態では、移動者４０が携帯する盗難監視装置１０と携行品８０に取り付けられた無線タグ３０との距離は、移動者４０が携行品８０を携行する通常の場合、例えば数十ｃｍ程度の近さであると想定される。盗難監視装置１０と無線タグ３０との間に想定される距離は、これに限られない。盗難監視装置１０と無線タグ３０とが互いに所定距離だけ離れた位置に置かれたものに取り付けられる場合に、盗難監視装置１０は、無線タグ３０の取り付けられた物品に関して盗難を監視してもよい。この場合、時間計測部１４は、盗難監視装置１０と無線タグ３０との所定距離に応じて、識別信号の強さの閾値を保持する。
【００４８】
例えば、住居の玄関に取り付けられた盗難監視装置１０は、家庭の金庫に取り付けられた無線タグ３０から所定距離として１０ｍ離れた位置に設置される。無線タグ３０が盗難監視装置１０から所定距離である１０ｍの例えば±３ｍの範囲外に移動する場合、金庫は動かされたと考えてよい。これにより、時間計測部１４は、盗難監視装置１０と無線タグ３０との距離が７ｍである場合に受信する識別信号の強さを上限の閾値として保持し、かつ盗難監視装置１０と無線タグ３０との距離が１３ｍである場合に受信する識別信号の強さを下限の閾値として保持する。時間計測部１４は、受信する識別信号の強さが上限の閾値を上回る場合、および下限の閾値を下回る場合に、時間の計測を開始する。したがって、盗難監視装置１０は、盗難を監視する対象が移動者４０の携行品８０でない場合にも、盗難を監視することができる。
【００４９】
無線タグ３０は、識別信号を警備会社サーバ７０へ送信してもよい。この場合、警備会社サーバ７０は、所定の時間間隔で無線タグ３０から識別信号を受信する。警備会社サーバ７０は、所定の時間間隔で受信する識別信号の強さを記録することにより、無線タグ３０を取り付けられた携行品８０の移動経路の情報を記録することができる。移動者４０が警察へ盗難届を提出する場合、警備会社は、記録した携行品の移動経路の情報を警察へ提供する。警察は、提供された情報により盗難の犯人を検挙する手がかりを得ることができる。一方、移動者４０が保険会社へ盗難届の複写を提示する場合、警備会社は、記録した携行品の移動経路の情報を保険会社へ提供する。保険会社は、提供される情報により盗難保険金を支払うべきか否かをさらに適切に決定することができる。
【００５０】
以上、本発明を実施形態を用いて説明したが、本発明の技術的範囲は上記実施形態に記載の範囲には限定されない。上記実施形態に、多様な変更または改良を加えることができる。そのような変更または改良を加えた形態も本発明の技術的範囲に含まれ得ることが、特許請求の範囲の記載から明らかである。
【図面の簡単な説明】
【図１】本実施の形態に係る盗難監視システム１００の構成を示す概略図である。
【図２】盗難監視装置１０の機能構成を示すブロック図である。
【図３】盗難監視装置１０の動作の一例を示すフローチャートである。
【符号の説明】
１００  盗難監視システム、１０  盗難監視装置、１２  操作部、１４  時間計測部、１６  盗難信号出力部、１８  盗難信号記録部、２０  警告発生部、３０無線タグ、４０  移動者、５０  ネットワーク、６０  保険会社サーバ、７０警備会社サーバ、８０  携行品
【図１】
2004240857.tif 000003
【図２】
2004240857.tif 000004
【図３】
2004240857.tif 000005